(57)【要約】【課題】本発明はユニットバスのサイフォン排水工法の改良にかかるものであり、サイフォン開始時間が長くとも洗い場側に水が逆流することは全くなく、設計可能領域がサイフォン開始時間に関係なく極めて広くすることを目的としたものである。【解決手段】サイフォンを利用したユニットバス排水において、ユニットバスの洗い場側と浴槽側に夫々トラップを設置し、各排水口から夫々のトラップに配管し、次いで横引き管を接続し、前記横引き管は他の横引き管と合流させることなく夫々に形成した水頭差を利用してサイフォン排水するユニットバスサイフォン排水工法。１‥洗い場、２‥浴槽、３ａ、３ｂ‥トラップ、６ａ、６ｂ‥横引き管。【選択図】図３
2007039885.tif 000002
【特許請求の範囲】
【請求項１】
サイフォンを利用したユニットバス排水において、ユニットバスの洗い場側と浴槽側に夫々トラップを設置し、各排水口から夫々のトラップに配管し、次いで横引き管を接続し、夫々に形成した水頭差を利用してサイフォン排水することを特徴とするユニットバスサイフォン排水工法。
【請求項２】
前記横引き管は他の横引き管と合流させることなく配管された請求項１記載のユニットバスサイフォン排水工法。
【発明の詳細な説明】
【技術分野】
【０００１】
本発明はサイフォンを利用したユニットバスの新たな排水工法にかかるものである。
【背景技術】
【０００２】
ユニットバスの排水にあって、一般には洗い場側と浴槽側の排水口から一箇所のトラップに合流し、次いで５０Ａ程度の配管で排水する工法が採用されている。しかしながら、かかる排水工法にあっては、管径が大きくなり、床下ふところが大きくなってしまうという課題があった。又、ユニットバスの機種によっては、浴槽と洗い場を同時に排水した際に処理しきれず、洗い場側に水が溜ってしまうことがあった。そして更に、浴槽内の水位が下がってくると、排水能力が低下することも問題であった。
【発明の開示】
【発明が解決しようとする課題】
【０００３】
本発明はユニットバスのサイフォン排水工法の改良にかかるものであり、サイフォン開始時間が長くとも洗い場側に水が逆流することは全くなく、設計可能領域がサイフォン開始時間に関係なく極めて広くすることを目的としたものである。
【課題を解決するための手段】
【０００４】
本発明の要旨は、サイフォンを利用したユニットバス排水において、ユニットバスの洗い場側と浴槽側に夫々トラップを設置し、各排水口から夫々のトラップに配管し、次いで横引き管を接続し、夫々に形成した水頭差を利用してサイフォン排水することを特徴とするユニットバスサイフォン排水工法であり、好ましくは、前記横引き管は他の横引き管と合流させることなく配管された排水工法である。
【発明の効果】
【０００５】
本発明によれば、洗い場と浴槽との排水を完全に分離して配管することで、従来のような洗い場への排水の逆流がなくなったものであり、かつ、排水処理能力のみで設計可能になり、最大横引き長さが拡大できることとなったものである。
【発明を実施するための最良の形態】
【０００６】
前述したように、ユニットバスを構成する洗い場と浴槽との排水にあっては、排水口が比較的近くにあることからトラップが一つ備えられ、これに両方の排水が導かれてなる構成が一般的であった。そして、かかる構成によってもたらされる課題が多くあるところ、本発明は、洗い場と浴槽を別々にトラップを設置して２本の横引き管を分離して配管し、サイフォンを利用した排水を行う工法である。
【０００７】
このように、ユニットバスの排水を行うに当たり、２本の横引き管を別々に配管し、夫々を別々にサイフォン排水することによって、横引き管の設計可能領域の拡大を行うことが可能となったものである。このように、サイフォン排水を利用することによる床下ふところを小さくできる等の一般的なメリットは残したまま、今までのサイフォン排水において課題であったことが解決できたものである。
【０００８】
更に言えば、従来のサイフォン排水工法であれば、設計可能領域の決定の際は、サイフォン開始時間までに洗い場側に逆流してしまうという点から、排水処理能力ではなく、サイフォンの開始時間との関係で決定しなくてはならなかった。そのため、設計可能領域の最大横引き長さが制限されてしまう。
【０００９】
しかし、本発明では洗い場、浴槽の排水を分離して配管することで、洗い場側への逆流はなくなり、排水処理能力のみで設計可能になり、最大横引き長さが拡大できることとなった。
【００１０】
次に、サイフォン排水で縮径することによって生じる固形物等の詰まりの問題に関しても、縮径箇所がトラップと近接しているため、トラップの蓋を取り外すことにより、詰まりの除去が容易となるというメリットももたらされる。
【００１１】
又、従来であれば、浴槽の排水を行うと浴槽内で水位が下がってきた場合には排水能力が低下したが、本発明ではサイフォン力によって排水されるために流量の低下も少ないという特徴もたらされる。
【実施例】
【００１２】
以下、本発明を実施例をもって更に詳細に説明する。図１は一般排水工法によるユニットバスの排水工法を示すものであり、１は洗い場、２は浴槽、３は洗い場に備えたトラップである。かかるトラップ３には直接洗い場の排水口（図示せず）から排水が導入され、一方、浴槽２からの排水口（図示せず）からエルボ管４を介して排水が導かれるものである。そして、トラップ３より管径５０Ａの配管５が所定の勾配をもって配置され、これが排水枡或いは排水立て管（いずれも図示せず）へ接続されることとなる。
【００１３】
図２は今まで行われてきたユニットバスのサイフォン排水工法を示すものであり、１は洗い場、２は浴槽、３は洗い場に備えたトラップであり、従来の技術と同じように洗い場の排水口から直接排水が導入され、一方、浴槽２からの排水はエルボ管４を介して導かれるものである。そして、トラップ３より管径５０Ａの配管５が所定の勾配をもって配置され、この先端に縮径管６が嵌め込まれ、これより無勾配の２０Ａ程度の横引き管６が設置され、これが排水立て管へ接続されることとなる。
【００１４】
この場合、横引き管６内の排水にサイフォン力がもたらされるまで、即ち横引き管６の長さが長い場合にはサイフォン開始時間までにやや時間がかかるため、その間に排水は洗い場１側にあふれ出てしまう結果となってしまう。更に、ゴミ等の固形物等はトラップ３を通過して太径である配管５内に至るが、ここで横引き管６との管径が異なることにより、この配管５内で滞留する可能性があった。この固形物等はトラップ３よりも遠方の位置にて滞留することとなるため、その除去にはトラップ３の蓋等を開放し、例えば手を差し込んで取り除く等の必要もあり、これを改良すべきであるとする要請もある。
【００１５】
図３は本発明の排水工法を示す主要部の図であり、洗い場１と浴槽２からの排水を完全に分離してしまおうとするものである。即ち、洗い場１側と浴槽２都には夫々別のトラップ３ａ、３ｂを設置し、これに夫々の排水を導くものであり、更にトラップ３ａ、３ｂより夫々別個に管径の小さい例えば２０Ａの横引き管６ａ、６ｂを夫々配設し、これをそのまま他の管との合流を行うことなく、図示しないが、例えば排水立て管に接続した合流部の水頭によるサイフォン力によって夫々独立して排水を行うものである。
【００１６】
従って、本発明の工法を採用した場合には、洗い場１と浴槽２との排水系統が全く独立しているために洗い場１側に水があふれ出るという欠点もなく、しかも浴槽内の排水もほぼ最後までサイフォン力が働くことから、水位が低くなったとしてもその排水力には衰えがなく、最後まで排水流量に変化がないというメリットがある。更には、横引き管６ａ、６ｂはトラップ３ａ、３ｂに直接接続し、トラップ３ａ、３ｂに対して縮径したものといえることから、ゴミ等はこの縮径部にて詰まることがほとんどであり、これはトラップ３ａ、３ｂにおける蓋等を開放することによって容易に取り除くことが可能となったものである。
【産業上の利用可能性】
【００１７】
本発明は以上の通りであって、ユニットバスにおける洗い場と浴槽とは極めて近接した位置にあるところから、これを合流して排水することが行われているのが常であったが、本発明はサイフォン排水工法を採用するところから、これを夫々分離して別個に排水することによって大きなメリットをもたらしたものであり、その利用価値は極めて高いものとなったもので、高層マンション等の集合住宅は勿論、戸建て住宅にも広く採用可能となったものである。
【図面の簡単な説明】
【００１８】
【図１】図１は勾配付き排水工法によるユニットバスの排水工法を示す図である。
【図２】図２は一般のサイフォン排水工法によるユニットバスの排水工法を示す図である。
【図３】図３は本発明のサイフォン排水工法に適したユニットバスの排水工法を示す図である。
【符号の説明】
【００１９】
１‥洗い場、
２‥浴槽、
３ａ、３ｂ‥トラップ、
５‥太径の配管、
６ａ、６ｂ‥横引き管。
【図１】
2007039885.tif 000003
【図２】
2007039885.tif 000004
【図３】
2007039885.tif 000005